(57)【特許請求の範囲】
【請求項１】
a)ボードに立設する、リグ部とは別の棒状部材と、
b)上記棒状部材の先端に固定された、リグ部にその一端が固定されたロープを通り抜けさせるための方向変換具と、
を備えることを特徴とするセイルアップ用装置。
【請求項２】
上記方向変換具が、リング状部材を備えることを特徴とする請求項１に記載のセイルアップ用装置。
【請求項３】
上記方向変換具が、複数個の球体を備えることを特徴とする請求項１に記載のセイルアップ用装置。
【請求項４】
上記方向変換具が、滑車を備えることを特徴とする請求項１に記載のセイルアップ用装置。
【請求項５】
上記棒状部材に、上記ロープを把持するための逆戻り防止具が設けられていることを特徴とする請求項１〜４のいずれかに記載のセイルアップ用装置。
【請求項６】
上記棒状部材に、上記ロープを手繰るためのレバーが設けられていることを特徴とする請求項１〜５のいずれかに記載のセイルアップ用装置。
【請求項７】
ボード上又は上記棒状部材の下部のいずれかに固定された第２の方向変換具を備えることを特徴とする請求項１〜４のいずれかに記載のセイルアップ用装置。
【請求項８】
リグ部に発泡体が設けられていることを特徴とする請求項１〜７のいずれかに記載のセイルアップ用装置。
【請求項９】
ボードに上記棒状部材を収納するスペースが設けられていることを特徴とする請求項１〜８のいずれかに記載のセイルアップ用装置。
【発明の詳細な説明】
【０００１】
【発明の属する技術分野】
本発明は、ウインドサーフィンのセイルが水面に倒れた場合における、セイルの水面からの引き上げ（セイルアップ）を容易にするための装置に関する。
【０００２】
【従来の技術及び発明が解決しようとする課題】
ウインドサーフィンを水上で楽しむ場合、強風に煽られたりあるいは操作ミスを犯すなどして、セイルが水面に倒れてしまうことがよくある。特に、操作技術の未熟な初心者については、相当高い頻度でこのようなことが起こり得る。そこで、図１に示す通り、航行中などにセイル１０が水面に倒れた場合に備えて、セイル１０と一体をなす操縦具（ブーム）１１にロープ１３の一端が、マスト１２にロープ１３の他端がそれぞれ固定されており、このロープ１３の適当な位置を手で掴み、ボードに対し斜め上方向（矢印１５）に引っ張ることでセイルアップを行う。この際、体のバランスを取るために、両足は位置１４の上に載せるのが望ましいとされている。
【０００３】
しかし、水面に倒れたセイルについては、セイル自体の重量に加えて、その上面には水が溜まるとともに、その下面は表面張力により水面に張り付くため、セイルアップには相当な腕力とその腕力を一定時間継続する持続力が要求される。そのため、腕力のない人や女性には非常に困難な作業となっているのが現実であり、特に、初心者の段階で頻繁に直面するとウインドサーフィンに対する熱意が削がれることから、ウインドサーフィンの普及を妨げる一因にもなってきた。
【０００４】
このようなセイルアップの困難性を解決するための発明が、特開2000-177690に記載されている。この発明は、セイルに穴を開けるとともに、その穴に揚力確保と水を一定方向に流出させるためのカバーを取り付けることを内容とする。しかし、セイルに穴を開けることは、セイルに働く揚力を利用して航行するウインドサーフィンにとっては揚力を喪失する点において致命的であり、たとえ穴にカバーを取り付けたとしても、依然として揚力や意匠性の点で問題があることに変わりはない。
【０００５】
本発明はこのような課題を解決するために成されたものであり、その目的とするところは、腕力のない人や女性でも、セイルに穴を開けるなどすることなく、容易にセイルアップを行い得るための装置を提供することにある。
【０００６】
【課題を解決するための手段】
上記課題を解決するために成された本発明に係るセイルアップ用装置は、
a)ボードに立設する棒状部材と、
b)上記棒状部材の先端に固定された、リグ部にその一端が固定されたロープを通り抜けさせるための方向変換具と、
を備えることを特徴とする。なお、「リグ部」とは、ボードより上の部分（セイル、ブーム、マストなどを含む部分）の総称である。
【０００７】
【発明の実施の形態】
本発明に係るセイルアップ用装置においては、まず、ボードに棒状部材を立設する。次に、この棒状部材の先端に、ロープを通り抜けさせるための方向変換具を固定する。最後に、リグ部にその一端を固定したロープをその方向変換具に通せばよい。
【０００８】
続いて、本発明に係るセイルアップ用装置の使用方法について説明する。セイルが水面に倒れた場合、まず、リグ部にその一端を固定したロープを、ボードに立設した棒状部材の先端に固定された方向変換具に通す。次に、前記ボードの長手方向に垂直になるよう体の向きを整えて、肩幅程度に両足を広げ、前記ボード上の棒状部材の前に立つ（図２の位置２３がこの際の両足の位置である）。後は、前記ロープを手で掴み、ボードに対し略垂直方向に下向き（図２の矢印２６）に引っ張ればよい。この際、体のバランスを取るために、空いている手で前記棒状部材を掴んでも構わない。
【０００９】
【発明の効果】
本発明に係るセイルアップ用装置を用いた場合、ボードに立設した棒状部材に対して略平行に下向きにロープを引っ張るので、従来のようにロープをボードに対し斜め上方向に引っ張る場合と比べて、楽に力を入れることができ、そのため、腕力のない人や女性でも容易にセイルアップを行い得る。加えて、ボードに対して略垂直方向に下向きの力が働くため、水面上にあって不安定なボードを安定させセイルアップをより行い易くし得る。
【００１０】
更に、セイルアップの途中で疲れた場合には、前記棒状部材を掴んで休憩をとりつつ作業を行い得る。もちろん、前述のように、体のバランスを取るため最初から掴んでおいても構わない。
【００１１】
また、従来のようにロープをボードに対し斜め上方向に引っ張る場合、体の向きがボードの長手方向と平行になるため、ボード上で体のバランスを取ることが難しく（図１参照）、誤って水中に落ちること（これを「沈」と呼ぶ）が、特に初心者の場合、頻繁に起こり得る。しかし、本発明に係るセイルアップ用装置を用いた場合、体の向きをボードの長手方向と垂直に取り得るため（図２参照）、両足を肩幅程度に開くことで容易に体のバランスを取ることができ、従って、セイルアップ中に誤って水中に落ちるケースも少なくなる。
【００１２】
【実施例】
本発明に係るセイルアップ用装置の第１の実施例を説明する。図２は、本実施例のセイルアップ用装置を取り付けたウインドサーフィンの斜視図である。ボード２０上には、棒状部材２１を立設するために必要な土台２２が載置されている。この土台２２を拡大したものを図３に示す。
【００１３】
土台２２を構成する板状部材２２１には、棒状部材２１よりも僅かに大きな径を有する管状部材（以下、「ベース管状部材」と呼ぶ）２２２が固定されている。前記板状部材２２１は図３では角形であるが、もちろん、円形や楕円形など様々な形が考えられる。この板状部材２２１やベース管状部材２２２に用いる材料については、必要な強度を保ちつつボード２０の浮力を損なわないよう軽量のものであれば何でもよい（例えば、アルミニウムなどの軽金属やプラスチック）。前記土台２２は、ベルト２２３によりボード２０上に固定される。ベルト２２３によるボード２０上への固定は、例えば、留め具２２４をベルト２２３の適当な位置に取り付け、この留め具２２４の凹部と凸部を嵌合させることでこれを行ってもよいし、フックをベルト２２３の一端に取り付けることでこれを行ってもよい。
【００１４】
次に、前記板状部材２２１に固定したベース管状部材２２２に、棒状部材２１を挿入する。この場合、棒状部材２１の径をベース管状部材２２２の内径と略同一にすることで、セイルアップの際に棒状部材２１がベース管状部材２２２より脱落することを防止し得る。なお、前記棒状部材２１の径については、使用する材料の強度にもよるが、例えばアルミニウム管であれば、２０〜５０mm程度とするのが望ましい。また、その長さについては、使用上の便宜及び航行への支障の観点から使用者の腰から身長の間の長さとするのが望ましく、更には、セイルアップ完了時のブームの位置（これは、通常は使用者の胸の高さ程度となっている）とするのが最も望ましい。
【００１５】
なお、別の仕様として、ボード２０に直接固定したベース管状部材２２２に棒状部材２１を挿入するようにしてもよい。更に別の仕様として、ボード２０又は板状部材２２１に取り付けたジョイントに棒状部材２１を接続し、この棒状部材２１を３６０度どの方向へも動かせるようにしてもよい。もっとも、この場合には、棒状部材２１を垂直に立設した状態で固定するための手段を設ける必要がある。
【００１６】
続いて、前記棒状部材２１の先端に、方向変換具２５として図４(a)に示すようなリング２５aを固定する。後は、リグ部にその一端を固定したロープをリング２５aに通し引っ張ればよい。ただし、ロープが水で濡れている場合、リング２５aの内側とロープとの間に生ずる摩擦が大きくなるため、ロープを引っ張る際に大きな力が必要となる可能性がある。そこで、リング２５aの内側に沿って低摩擦部材（例えば、ビーズ）を接着することで、摩擦の低減を図ってもよい。
【００１７】
棒状部材２１の先端に固定する方向変換具の別の仕様として、図４(b)に示すような２個ずつ上下２段に並べた４個の球体２５１bを備える方向変換具２５bを用いてもよい。４個の球体２５１bは２個ずつ同軸２５２bによって回転可能に貫かれている。リグ部にその一端を固定したロープは、前記４個の球体２５１bによって囲まれてできる隙間２５３bに通して引っ張るようにする。その結果、前記ロープを引っ張ると、このロープと接触している１ないし４個の球体２５１bも同時に軸２５２bの周りを回転するため、たとえロープが水で濡れていたとしても、摩擦によってロープを引っ張る際に大きな力が必要となることはない。なお、隙間２５３bの大きさについては、ロープの径と略同一かやや大きい程度とするのがよい。隙間が大きすぎるとロープが球体２５１b間の溝に挟まり、反対に、ロープを引っ張る力が大きくなってしまうからである。
【００１８】
更に、棒状部材２１の先端に固定する方向変換具の別の仕様として、図４(c)に示すような滑車２５cを用いてもよい。
【００１９】
以上述べたいずれの方向変換具を用いるにせよ、方向変換具を通過させたロープを直接手で掴んで引っ張る場合、手を離すとロープが逆戻りするため、セイルアップを終えるまでの間、常にロープを手で掴んでおく必要がある。しかし、セイルの重量を考えると、これでは手や腕への相当な負担となるから、セイルアップの最中にロープを離しても、そのロープが逆戻りしないようにすることが望ましい。このような目的を達成するための逆戻り防止具として様々な形、構造、材料のものが考えられるが、一例として、セイルのセッティングの際に利用される「イージーリグ」という器具をあげることができる。図５(a)はイージーリグの一例の斜視図、図５(b)及び(c)は同じイージーリグの側面図(b)及び平面図(c)である。イージーリグ５０の溝の幅は深さ方向に徐々に狭くなっており、内壁５０１には複数の凹凸５０２が交互に設けられている。手繰り寄せたロープをきつくこのイージーリグ５０の溝に嵌め込むことで、掴んだロープを離してもこのロープが逆戻りすることを防止し得る。イージーリグ５０は、棒状部材２１の適当な位置に固定しておくとよい。
【００２０】
また、方向変換具を通過させたロープを直接手で掴んで引っ張る場合、ロープで掌を痛めたり、腕が疲労する可能性がある。そこで、本発明に係るセイルアップ用装置の第２の実施例として、図６に示すように、ボード２０に立設した棒状部材２１の適当な位置にロープ２４を一時的に固定できるレバー６０を取り付け、このレバー６０を上下（矢印６１）に動かしてロープ２４を手繰るようにしてもよい。
【００２１】
なお、ロープを直接手で掴んでロープを引っ張る場合と同様に、本実施例においても前記逆戻り防止具、例えばイージーリグ５０を併用してよい。イージーリグ５０は、棒状部材２１の先端とレバー６０の取り付け位置の間の適当な位置に固定することが望ましい。
【００２２】
更に、本発明に係るセイルアップ用装置の第３の実施例として、図７に示すように、ボード２０又はボード２０に立設した棒状部材２１の下部にロープ把持具及びラチェットを備えた第２の方向変換具７０を固定し、第１の方向変換具２５及び第２の方向変換具７０を通過させたロープ２４を棒状部材２１に対して略平行に上向き（矢印７１）に引っ張るようにしてもよい。本実施例によった場合、ロープ把持具及びラチェットの作用により手を離してもロープ２４が逆戻りすることはない。
【００２３】
なお、本実施例の別の仕様として、ラチェットのリリースタブと連結した部材をボード２０に載置し、セイルアップ中にボード２０が一定角以上に傾いた場合に、この部材がボード２０上を移動することでラチェットのリリースタブが動作するようにしてもよい。これによりロープ把持具及びラチェットは解除され、ロープは自由に抜けてゆく。その結果、ボード２０の傾きは解消され、操作者が誤って水中に落ちる可能性も少なくなる。
【００２４】
本発明に係るセイルアップ用装置の第１〜第３の実施例のいずれにおいても、補助的に、リグ部の適当な位置（例えば、セイルやブーム）に発泡体部材を取り付けてもよい。発泡体部材の浮力の作用により水面に倒れたセイルの水面下に沈む割合が減少するので、方向変換具を通過させたロープを引っ張る力がより少なくてすむからである。
【００２５】
更に、本発明に係るセイルアップ用装置の第１〜第３の実施例のいずれにおいても、ボードに立設した棒状部材が航行等の支障とならないように、セイルアップ時以外は棒状部材をボードに立設したままにしない方が望ましい。そこで、例えばボードに収納スペースを設け、取り外した棒状部材をそこに収納できるようにするとよい。
【図面の簡単な説明】
【図１】  従来のセイルアップ用装置を取り付けたウインドサーフィンの斜視図。
【図２】  本発明の第１実施例のセイルアップ用装置を取り付けたウインドサーフィンの斜視図。
【図３】  第１実施例のセイルアップ用装置を構成する土台の斜視図。
【図４】  (a)第１実施例のセイルアップ用装置を構成する方向変換具（リング）の正面図、(b)別の仕様の方向変換具の正面図、(c)更に別の仕様の方向変換具（滑車）の正面図。
【図５】  (a)イージーリグの一例の斜視図、(b)同じイージーリグの側面図、及び(c)平面図。
【図６】  本発明の第２実施例のセイルアップ用装置を取り付けたウインドサーフィンの正面図。
【図７】  本発明の第３実施例のセイルアップ用装置を取り付けたウインドサーフィンの正面図。
【符号の説明】
１０…セイル
１１…ブーム
１２…マスト
１３、２４…ロープ
１４、２３…両足を載せる位置
１５、２６、７１…ロープを引っ張る方向
２０…ボード
２１…棒状部材
２２…土台
２２１…板状部材
２２２…ベース管状部材
２２３…ベルト
２２４…留め具
２５…方向変換具
２５a…リング
２５b…方向変換具
２５１b…球体
２５２b…軸
２５３b…隙間
２５c…滑車
５０…イージーリグ
５０１…内壁
５０２…突起
６０…レバー
６１…レバーを動かす方向
７０…第２方向変換具
【図１】
0003686014.tif 000002
【図２】
0003686014.tif 000003
【図３】
0003686014.tif 000004
【図４】
0003686014.tif 000005
【図５】
0003686014.tif 000006
【図６】
0003686014.tif 000007
【図７】
0003686014.tif 000008